(57)【特許請求の範囲】
【請求項１】
記録媒体に対し探針を走査してその物理的相互作用により情報の書き込みと読みだしを行う情報処理装置において、
入力情報を再生時の必要性に応じたレベルに分類する書き込み制御機構と、
その必要領域のみを読みだす読みだし制御機構と、を有し、
前記書き込み制御機構は、入力情報を予め定められた規則にしたがって分類するための演算機構と、前記演算機構により分類された情報をそれぞれ記録媒体上の予め定められた領域に書き込むための並べ換え機構と、を有していることを特徴とする情報処理装置。
【請求項２】
前記探針は、主走査方向と、それに直交する方向である副走査方向と、に移動可能であり、
前記読みだし制御機構及び前記書き込み制御機構は、前記副走査方向の移動量を設定し、予め定められた記録領域のみを走査することを可能とする走査設定部を有していることを特徴とする請求項１に記載の情報処理装置。
【請求項３】
前記走査設定部は、その移動量の設定が出力装置の切り換えによって変更できるように構成されていることを特徴とする請求項２に記載の情報処理装置。
【請求項４】
前記読みだし制御機構は、前記演算機構によって分類された情報の一部または全部を合成するためのデータ生成機構を有していることを特徴とする請求項１乃至３のいずれか１項に記載の情報処理装置。
【発明の詳細な説明】
【０００１】
【発明の属する技術分野】
本発明は、探針と記録媒体を接近させることによって生じる物理現象を利用した情報処理装置に係り、特に、入力情報を再生時の必要性に応じたレベル、例えばその出力装置の解像度レベルに応じて分類し、その必要領域のみを読みだす情報の記録・再生装置に関するものである。
【０００２】
【従来の技術】
近年、メモリ材料の用途は、コンピュータ及びその関連機器、ビデオディスクディジタルオーディオディスク等のエレクトロニクス産業の中核をなすものであり、その材料開発も極めて活発に進んでいる。
メモリ材料に要求される性能は用途により異なるが記録再生の応答速度が早いことは必要不可欠である。
従来までは磁性体や半導体を素材とした半導体メモリや磁気メモリが主であったが、近年レーザー技術の進展にともない、有機色素、フォトポリマーなどの有機薄膜を用いた光メモリによる安価で高密度な記録媒体が登場してきた。
一方、最近、導体の表面原子の電子構造を直接観察できる走査型トンネル顕微鏡（以後、ＳＴＭと略す）が開発され［Ｂｉｎｎｉｇ  ｅｌ  ａｌ．  Ｐｈｙｓ．Ｒｅｖ．Ｌｅｔｔ，４９，５７（１９８２）］、単結晶、非晶質を問わず実空間像の高い分解能の測定ができるようになり、しかも試料に電流による損傷を与えずに低電力で観測できる利点も有し、更に大気中でも動作し、種々の材料に対して用いることができるため広範囲な応用が期待されている。
ＳＴＭは金属の探針（プローブ電極）と導電性物質間に電圧を加えて１ｎｍ程度の距離まで近付けるとトンネル電流が流れることを利用している。
この電流は両者の距離変化に指数関数的に応答するため非常に敏感である。トンネル電流を一定に保つように探針を走査することにより実空間の全電子雲に関する種々の情報をも読み取ることができる。
これによる面内方向の分解能は０．１ｎｍ程度である。したがって、ＳＴＭの原理を応用すれば十分に原子オーダー（サブ・ナノメートル）での高密度記録再生を行うことが可能である。
例えば、特開昭６１−８０５３６号公報に開示されている情報処理装置では、電子ビーム等によって媒体表面に吸着した原子粒子を取り除き書き込みを行い、ＳＴＭによりこのデータを再生している。
記録層として電圧電流のスイッチング特性に対してメモリ効果を持つ材料、例えば共役π電子系をもつ有機化合物やカルコゲン化合物類の薄膜層を用いて、記録再生をＳＴＭで行う方法が提案されている（特開昭６３−１６１５５２号公報、特開昭６３−１６１５５３号公報）。この方法によれば、記録のビットサイズを１０ｎｍとすれば、１Ｔｂｉｔ／ｃｍもの大容量記録再生が可能である。
またプローブ電極の走査機構としてはカンチレバータイプのもの（特開昭６２−２８１１３８号公報）があり、これによると、Ｓｉ基板上にＳｉＯ2からなる長さ１００μｍ、幅１０〜２０μｍ、厚さ０．５μｍ程度の大きさのカンチレバー型の機構を複数個作り込むことが可能となっており、同一の基板上に書き込み読み出し回路も集積化されている。
このような大容量のメモリシステムは、大きな情報量のデータベースとして、とりわけ情報量が非常に大きい画像データを処理する場合に有意義である。
例えば最近になって技術の進歩が甚だしい高品位テレビジョンや高解像度スチルビデオ等には不可欠であるといってもよい。
【０００３】
【発明が解決しようとする課題】
しかしながら、このような大容量のメモリシステムにおいて、入力された情報を、常に一定の高品位な解像度で、あるいは詳細なレベルで読みだそうとすれば、読みだしに長時間を要し、無駄となる場合が多ぃ。
具体的には、上記のようなメモリシステムにおいてはカンチレバーの共振周波数等の物理的条件の走査周波数限界が数百Ｈｚで、それによって生じるプローブ１本あたりの情報の転送速度の限界が数百ｋＨｚ以下であるため、大量の情報の書き込み読みだしには長時間を要するのが現伏であり、また、その出力の目的や出力装置等により、常に詳細な情報や高品位な解像度が必要とされるものでもない。例えば、検索や頭だし等の場合には画像の質より処理速度に重点が置かれる。また、例えば、スチルビデオ等の場合、その画像を電子写真技術等によってプリントアウトする時には高い解像度が必要であるが、そのモニタ出力はそれほど解像度は必要ではなく、必ずしも時間をかけて、記録した１００パーセントの情報を取り出す必要はない。
また、記録時においても必要部分のみを詳細に記録したい場合や、速度を重視する場合は、まずは荒く記録しておき、後に局所的に必要な部分を詳細に補足していくというデータの入力の方法もある。
【０００４】
そこで、本発明は、上記ＳＴＭ等を用いた大容量メモリシステムにおいて、入力情報を再生時の必要性に応じたレベル、例えばその出力装置の解像度レベルに応じて分類して記録し、その必要領域のみを簡易に読みだす情報処理装置を提供することを目的とするものである。
【０００５】
【課題を解決するための手段】
本発明は、上記目的を達成するため、記録媒体に対し探針を走査してその物理的相互作用により情報の書き込みと読みだしを行う情報処理装置において、
入力情報を再生時の必要性に応じたレベルに分類する書き込み制御機構と、
その必要領域のみを読みだす読みだし制御機構と、を有し、
前記書き込み制御機構は、入力情報を予め定められた規則にしたがって分類するための演算機構と、前記演算機構により分類された情報をそれぞれ記録媒体上の予め定められた領域に書き込むための並べ換え機構と、を有する構成としたものである。
また、本発明においては、前記探針は、主走査方向と、それに直交する方向である副走査方向と、に移動可能であり、
前記読みだし制御機構及び前記書き込み制御機構は、前記副走査方向の移動量を設定し、予め定められた記録領域のみを走査することを可能とする走査設定部を有する構成とすることができる。
そして、その走査設定部は、その移動量の設定が出力装置の切り換えによって、あるいはユーザーの読み出しレベルの設定によって変更できるように構成することができる。
さらに、前記読みだし制御機構は、前記演算機構によって分類された情報の一部または全部を合成するためのデータ生成機構を有する構成とすることができる。
【０００６】
【発明の実施の形態】
本発明は、上記のように入力情報を再生時の必要性に応じたレベルに分類して記録し、その必要領域のみを読みだす制御機構を有することにより、入力情報を使用レベルに応じて分類して並べ換え、その並べ換えた情報を記録媒体上の異なった領域に記録し、再生時にその必要とする解像度のレベルに応じて必要領域のみにアクセスし、その必要領域を簡易に読みだすことができる。
また、解像度は副走査の移動量のみによって決定されているため、異なったレベルの情報をあるまとまった領域に記録することが可能となる。
【０００７】
【実施例】
つぎに、本発明の実施例を図面に基づいて具体的に説明する。
［実施例１］
図１は、本発明の実施例１を示すものであり、高精細デジタルスチルカメラに本発明のメモリシステムを使用した場合についての、情報の入出力を主体にしたブロック図である。
図に基づいて、まず画像の取り込み時における動作についての説明をする。
レンズ１０１を通り入射してくる画像情報は、絞り、シヤッター等の調節機構１０２によって後段の撮像素子１０３に正確なレベルで入力するようになっている。その後像は電気信号に変換されプリアンプ１０４で増幅されＡ／Ｄ変換器１０５によってデジタル信号に変換される。
もちろん、図示されてはいないがＡ／Ｄ変換器１０５にはアンチエリアシング用のフィルタが備えられている。
デジタル信号に変換された画像情報は、本発明において特徴的である情報処理装置１１１に入力される。
入力された情報は書き込み制御回路１０６によって、後段のＳＴＭメモリシステムとマッチングしたデータ列に並べ換えられる。
そして並べ換えられたデータはＳＴＭメモリシステムによって記憶される。書き込み制御回路１０６については後に詳しく説明する。
【０００８】
次に画像出力動作について説明する。
読み出し制御回路１０８は出力装置に対応した走査制御信号を出力する。走査制御信号はあらかじめ設定回路１１０によって出力装置に応じて設定されている。あるいは、ユーザーによってマニュアルで設定できるようになっている。
メモリシステム１０７は走査制御信号に応じたデータを読み出し制御回路１０８へ出力する。
読み出し制御回路１０８は送られてくるデータを整形し、要求のあった出力装置１０９へ送り出すようになっている。
なお、書き込み読み出しは同時に行われないように書き込み制御回路と読み出し制御回路の間で制御されている。
今日、画像出力装置には様々なものがある。例えば、ＣＲＴのような画像モニタ、プリンタのように画像を紙等に印刷するもの、あるいは磁気ディスクやコンパクトディスク等の別の記憶装置、それに通信機器等である。
そして、それらの解像度もやはり様々である。
一般に使われているＣＲＴのように比較的低い解像度でよいもの、高品位モニタや高精細プリンタ・印刷機等のように高い解像度が必要なもの、また、ファックスのように実際は高精細な画像が望まれるがデータの転送時間等の問題から解像度がある程度決まってしまっているものなどが挙げられる。
また、出力には高精細画像が必要だが、検索等には必ずしも高精細が必要というわけではない場合も多い。そういった場合、検索時に１００％のデータを取り出すことは検索時間が遅くなるため賢明なことではない。
そこで、必要に応じたレベルの解像度のデータを容易に出力できるようにすることが望ましい。
本発明では書き込み制御回路１０６および読み出し制御回路１０８を設けてＳＴＭ技術を用いたメモリシステム１０７に対するデータ入出力を制御することでそれを実現している。
【０００９】
次に、ＳＴＭ技術を用いたメモリシステム１０７について説明する。
ＳＴＭメモリシステムは図２に示すような構成によって実現されている。
電極基板２１０にはある予め定められたバイアスが、読み出しバイアス印加回路により印加されており、Ｚ方向位置制御回路２０３によって探針２０１と記録媒体２１１あるいは電極基板２１０の距離がある特定の距離以下になったときに、電極基板２１０と探針２０１、あるいは電極基板上の記録媒体２１１と探針の間にトンネル電流が検出されるように構成されている。
検出されたトンネル電流は電流電圧（Ｉ−Ｖ）変換器２０４によって電圧信号に変換されＺ方向位置制御回路２０３およびＡ／Ｄ変換器２０５に送られる。
Ｚ方向位置制御回路２０３は検出されるトンネル電流値から電極基板と探針、あるいは記録媒体と探針との間の距離が一定になるように探針の位置制御を行っている。一方、Ａ／Ｄ変換器にはアンチエリアシング用にフィルタが備えられており、そこでＡ／Ｄ変換されたトンネル電流データはビットデータ抽出回路２０６へ送られピットの０、１信号に分離される。
具体的には、例えば記録媒体２１１の導電率の変化した部分（図の斜線部分）を１、変化していない部分を０とする等である。
また、データの記録は、探針と電極基板の間に、書き込みパルス印加回路２０２により予め定められた高さの書き込みパルス電圧を印加することにより行う。一方記録媒体面内の操作はステージ２０９によって行われる。
走査制御信号をステージ動作制御回路２０７が受け、その指示によって主走査、副走査の信号を出力する。
その信号がアンプ２０８によって増幅され、ステージに取り付けてある図には示されていない圧電素子等のアクチュエータに印加され、ステージは走査制御される。
図２に示した模式図は一つのトンネル電流検出系のみについて示しているが、実際に使用する場合にはデータの転送速度を考慮し、複数のプローブセットによって行うようになっている。
図３に示すように、Ｚ方向位置制御には半導体プロセスにより作製された圧電体を用いたバイモルフカンチレバー３０１を用いており、その動作はＺ方向位置制御回路３０４によって制御されている。
トンネル電流信号はトンネル電流検出回路３０５によって電流電圧変換が行われ次段のビット情報抽出回路３０６に送られる。
ビット情報抽出回路３０６は信号の大小等からビット情報を抽出し、情報はデータバスに流される構成である。
また、書き込みは書き込みパルス印加回路３０７が、データバスから書き込みデータを受け取って書き込むようになっている。
図に示したものは１つのプローブユニットについての制御系であるが、実際はこれが並列しておりスイッチ３０９〜３１１をそれぞれのプローブについて開け閉めすることによって、一組の制御系で複数のプローブをマルチプレックス制御している。
このスイッチの制御はタイミング制御回路３０３によって行っている。
【００１０】
次に本発明の特徴的な部分である書き込み読み出し手順について図４〜図７を用いて詳細に説明する。
まず書き込み制御回路１０６の内部構成を図４に示す。
Ａ／Ｄ変換された信号は像情報抽出部４０１によって画素毎の信号に分離され、原画像としてバッファメモリ４０２に蓄えられる。演算部４０３はその画像データを周波数領域について分解する。
たとえば多重解像度に階層表現化するためにピラミッド変換、サブバンド変換、更にはウェーブレット変換等を用いるのが良い。
本実施例ではピラミッド変換を用いた。図７にピラミッド変換の概略を示した。まず、原画像をＧ０とし、それを低域通過型フィルタによってＧ１に変換する。そして、順々に変換するものとする。
このときこれらの画像の関係から、最も解像度の低いＧ画像と、Ｌ画像列の和によって、２のべき乗の範囲で任意の解像度の画像が得られることがわかる。
そこで、本実施例では図７における画像生成をＬ４まで広げた場合を示す。
変換によって生成されたＧ５画像をレベル１、Ｌ４画像をレベル２、Ｌ３をレベル３、Ｌ２をレベル４、Ｌ１をレベル５、Ｌ０をレベル６のデータと呼ぶ。
それぞれのレベルのデータ数は、レベル１のデータ数を基準としてそれぞれ４倍、１６倍、６４倍、２５６倍となっている。
それぞれの領域のデータのＳＴＭメモリシステム記録媒体上の記録面積は単純にそのデータ個数の比になるので、例えば、データはメモリシステム１０７の媒体上て図６のように配置するように並ベ換え部４０４により並べ換えられる。
実際には演算部４０２によってバッファメモリ上に置かれた画像列のデータから並べ換え部がラスタ毎に選択出力することにより並べ換えられたデータが出力される。
ＳＴＭメモリシステム１０７は送られてくる信号をそのままデータビット列として媒体上に記録していく。
【００１１】
図６のデータ配置について説明する。
図６（１）はレベル１とレベル２のデータの関係を示している。
同一ラスタ内には同一レベルのデータのみが記録されている。黒い点列は媒体上のビット列を模式的に表したものであり、ＸＹ軸は媒体上の空間的な位置を示しＸは主走査方向、Ｙは副走査方向を示している。
レベル１のデータに対してレベル２のデータは４倍あるため、レベル１が１ラスタに対してレベル２が４ラスタの割合でセットになって等間隔に配置されている（図の四角中にレベル２のラスタ４本が等間隔で配置されている）。
次に、図６（１）の隣り合うレベル２間、及び隣り合うレベル２とレベル１間のデータ配置について示したものが図６（２）である。
隣り合うレベル２間にはレベル３が等間隔に配置されているが、前述した通り、レベル２とレベル３とのデータ個数の比が４倍であるので、この間には４本のレベル３のラスタが存在している（図の四角中にレベル３のラスタ４本が等間隔に配置されている）。
実際にはレベル２とレベル１を等間隔にした場合、レベル１のラスタと次のレベル１のラスタまでに図６（２）に示すようなレベル３の四角で示した領域は５つあるのではじめの一つを空き領域とした。
全体をまとめると、レベル１のラスタ群はＹ１の間隔で等間隔に配置されており、レベル２とレベル１によるラスタ群Ｙ２の間隔で等間隔に配置されている。
また図示されてはいないが、このようにし本実施例の場合実際にはレベル６のデータまで配置してある。
【００１２】
次に、読み出し動作について詳細に説明する。
前述したように、このシステムでは動的な系（ステージやカンチレバー等）を有しており、共振周波数が存在している。
そのため形状や剛性等にある程度工夫を施しても走査周波数にして数百Ｈｚが限界となる場合が多い。
その場合、ビット径を１０ｎｍ、主走査範囲を１Ａｍとした時でも１プローブあたりの転送速度は数百ｋｂｉｔ／秒が限界である。
したがって、データを効率よく引き出すには必要なデータのみを走査することが大切である。
メモリシステム１０７内の媒体上のデータは先に示したように図６のように記録されている。
読み出し制御回路の内部は図５に示すようになっている。
レベル１の信号（２５６分の１庄縮データ）を必要とする出力装置１の処理をする場合、出力切り換え部５０２によって出力先が出力装置１に切り換えられ、それに応じて走査設定部５０１より走査制御信号として、出力装置に対応してあらかじめ定めてある副走査方向の単位移動量を指定する信号が出力されるようになっている。
これは、出力装置に対応させてユーザーがマニュアルで設定しても良いし、ある出力装置を選ぶと自動的にある値に設定されるような切り換え器を有していても良い。本実施例ではマニュアル設定信号も入力できるような構成になっている。これによって図６に示してある副走査（Ｙ）方向の単位移動量をＹ１とすることによってレベル１のみのデータをスキャンすることが可能となり、したがってレベル１の情報のみを抽出できる。
ほかのレベルのデータ領域は走査しないため数百ｋｂｉｔ／秒の転送速度の１００％がレベル１のデータの出力に使われるので非常に高速になる。
また、次にレベル２の情報が必要な出力装置の場合、同様に副走査方向の単位移動量をＹ２に設定してレベル２（含レベル１）のデータを読み出し、それをデータ生成部５０３及びバッファメモリ５０４で、レベル１の波形とレベル２の残りの波形とを加算して出力する。
この方法によれば、レベル３、４、５、６のデータが必要な出力装置に対しても副走査方向の単位移動量のみの設定によって無駄無くデータ読み出しが行われる。ただし、空き領域は読み飛ばすように制御する。
たとえば実施例では、レベル１のラスタを読んだら距離Ｙ１飛ばして次のレベル２のラスタからＹ２の間隔で読むようにした。
【００１３】
以上のような情報処理装置を用いると、出力装置に応じた解像度でのデータ読み出しが効率よく行うことができる。
また、上記の解像度の分類としてはピラミッド変換を用いているが、一般的にウェーブレット変換等によって分けるなど、演算処理によって行うことができる処理であれば特に限定しない。
さらに、解像度で階層化させた画像に対してそれぞれ適当な圧縮操作を行うことによって、効率よく書き込み読み出しが可能となる。
たとえば、ラプラシアン画像列に対しては、より高解像度の画像ほど高周波通過型のフィルタ出力として帯域の狭いものであるので、点と線といった簡単な情報しか含まれていないことが多い。
そのため、量子化と適当な可変長符号割り当てを行うことによって６分の１程度までは容易に圧縮でき、効率の高い画像記録が可能になる。
その際には、図６に示したレベル間での記録面積の比率が変化し、さらに読み出し回路１０８中に復調回路が必要となる。また、以上はスチルカメラについて示したが、電子ファイルのような、モニタにより検索を行い、高精細な画像プリンタ等で出力したりする場合には、以上の発明を適応することにより効果的に画像データの入出力ができる。
また、上記実施例は静止画のみを対象として説明したが、高精細な動画（ＨＤＴＶ等）対応のビデオ等にも同様に適用可能である。
そして、図１等のブロック図においてはモノクロを対象としているが、もちろん情報としてカラーの輝度信号等を加えても全く構成上変わるものではない。
【００１４】
［実施例２］
図８は、本発明の情報処理装置を用いた実施例２におけるスチルカメラの基本構成を示すブロック図である。
図８に基づき、本発明の実施例２における部分的に高精細に記録したり、後から詳細に入力する場合の動作について説明する。
記録情報は実施例１の場合と同様にスチルカメラによって取得した高精細画像を入力する。システムの構成は実施例１とほぼ同様である。
図８の８０１から８０５を通ってきた画像データは書き込み制御回路８０６に入力される。書き込み制御回路８０６にはユーザーによって必要な解像度が設定回路８１０から入力されている。
この解像度の指定の方法は１フレーム全体でも良いが、フレーム中のある一部分でも良い。フレーム中のある一部分のみを高精細に記録することが可能ならば、たとえば、被写体のみを高精細に記録し、背景は解像度を落として記録することによってデータ量を減らし、記録時問の高速化を図ることが可能となる。
【００１５】
つぎに、画像の取り込み時における動作についての説明を行う。
実施例１と同様に、レンズ８０１を通り入射してくる画像情報は、絞り、シャッター等の調節機構８０２によって後段の撮像素子８０３に正碓なレベルで入力するようになっている。
その後像は電気信号に変換されプリアンプ８０４で増幅されＡ／Ｄ変換器８０５によってデジタル信号に変換される。
もちろん、図示されてはいないがＡ／Ｄ変換器８０５にはアンチエリアシング用のフィルタが備えられている。
デジタル信号に変換された画像情報は、本発明において特徴的である情報処理装置８１１に入力される。
入力された情報は書き込み制御回路８０６によって、後段のＳＴＭメモリシステムとマッチングしたデータ列に並べ換えられる。
ここで、画像信号の一部は書き込み制御回路８０６をそのまま通り過ぎ読み出し制御回路８０８へ入力され、そこで出力装置に合った適当な解像度に落とした後に画像モニタとして適当な出力装置に出力される。オペレータはこの画像を見ながら解像度の指定を行なうようにする。
さて図９に示すような画像信号を記録する場合にオペレータはエリアＡに対しては、人物の顔等の精細な画像を記録しておきたいために高い解像度のレベルｎを指定し、エリアＢは背景であるが山等の構造物があるのでやや低い解像度のレベルｍを指定し、空などのほとんど構造物がない部分に対してはレベル１を指定する事が出来る。例えば、このように指定した場合には、モニタしている出力装置に関係ない解像度で部分的に記録できるために、後の再生で人物だけを高解像度でプリントする事もできる。
【００１６】
つぎに、このような異なったレベルの情報を入力する実際の動作について説明する。
情報処理装置８１１に入力された高精細の画像信号はまず書き込み制御回路８０６に入力される。
データは例えば実施例１に示したピラミッド変換によって解像度のレベル分けが行なわれる。
簡単のためにレベルｎを図７のＧ０とし、レベルｍをＧ１、レベル１をＧ２の解像度とした場合について説明する。
こうすることによって記録する画像信号は図７におけるＬ０、Ｌ１、そしてＧ２である。
書き込み制御回路８０６はあらかじめ実施例１に示したようにデータを解像度に応じて並べ替えるが、書き込む場合にＧ２の解像度のみ必要なレベル１ではＧ２のデータのみを書き込むようにする。
そのときの副走査方向（Ｙ）の単位移動量をｙ１と制御する。このときは転送速度の１００％がレベル１のデータ記録に使われるので、非常に高速に記録できることになる。
つぎに、図９における背景の構造物のレベルｍの書き込みは今までのＧ２とそれに加えてＬ１を記録するようにする。
本実施例の場合、データ量はＬ１がＧ２の４倍であるので全体としては５倍の記録量となる。
従って、この場合の転送速度はＧ２のみを書き込んでいたときの５分の１になる。このときＬ１の画像データを実施例１に示したのと同様に、Ｇ２の画像データが記録されているラスタの間に入れるために、副走査の単位移動量を５分の１のｙｍにする。
同様に、記録データが図９における人物の部分のレベルｎの解像度となったときはＧ２とＬ１とＬ０のデータを記録することになる。
Ｌ０のデータ量はＬ１のデータ量の４倍となるのでｙｍ間隔で並んでいるラスタの間にＬ０のデータを書き込むので副走査の単位移動量はｙｍの５分の１（ｙｎ）とする。
【００１７】
以上のように書き込み制御回路８０６がデータの並べ替えを行なうことによって、読み出しの場合においては、解像度がＧ２の画像は副走査間隔ｙ１で読み出すことによって得られ、Ｇ１の画像は副走査間隔ｙｍによって読み出したデータＧ２とＬ１から得られ、さらに最高解像度のＧ０画像は副走査間隔ｙｎによって読み出したデータＧ２とＬ１とＬ０から得られることになる。
なお、高解像度で記録された部分も副走査間隔をｙ１に固定して読み出せばＧ２の解像度で読み出せるし、ｙｍに固定して読めばＧ１の解像度で読み出せることは実施例１に示した場合と同様である。
【００１８】
［実施例３］
実施例３は、実施例１及び実施例２において示した記録再生装置においての検索方法である。
本発明は様々なレベルの情報データを簡単に読み出せるために、低レベルで読み出しておくことによって、それを用いて検索することも容易である。これを画像情報を一例にとって説明する。
実施例１または２によって書き込んだ情報を低解像度モニタを用いて検索し、高精細でプリントする場合、まず記録された画像情報は、実施例１と全く同様に、検索モニタの解像度にあった低い解像度で読み出される。
例えば一例として図７に示したＧ３のレベルのデータであったとする。
つぎに、それを見ながらオペレータは図１０に示すように、画面上でカーソルなどを動かしながら高精細で出力したい部分を選択する（図中エリアＡ’）。
そのエリア情報は図１（あるいは図８）の設定回路１１０（あるいは８１０）によって読み出し制御回路１０８（８０８）に入力され、その部分のみが再び高解像度で読み出されることになる。
しかしながら、この部分の高解像度の情報は画面に出力されているＧ３レベルの情報の同一部分の近辺にすべて記録されているので、再生する場合にはこの部分のＧ３レベルの情報の書かれた位置を出発点として、必要な解像度に応じた副走査方向（Ｙ）単位移動量を設定して連続的に読み出すことによって、簡単に好みの像が得られる。
【００１９】
最後に、以上の各実施例は、メモリシステムとしてＳＴＭ技術を用いたものについて説明したが、原子間力顕微鏡や磁気力顕微鏡など、媒体と探針を接近させることによって生じる物理現象を用いたものならば、本発明はどのようなものにおいても可能である。
【００２０】
【発明の効果】
本発明は、以上のように入力情報を再生時の必要性に応じたレベルに分類整理し、その必要領域のみを読みだす制御機構を有することにより、入力情報を使用レベルに応じて分類して並べ換え、その並べ換えた情報を記録媒体上の異なった領域に記録し、再生時にその必要とする解像度のレベルに応じて、その必要領域のみにアクセスし情報の読みだしを行うことができるから、出力装置に応じた解像度でデータを取り出すことが可能となり、無駄なデータヘのアクセスをなくし読み出し時間の大幅な短縮が可能となる。
また、これを画像の検索等にも用いることによって、一層速やかな画像検索が可能な情報処理装置を提供することができる。
【図面の簡単な説明】
【図１】本発明の情報処理装置を用いた実施例１におけるスチルカメラの基本構成を示すブロック図である。
【図２】ＳＴＭ技術を用いたメモリの基本原理を説明するための図である。
【図３】バイモルフカンチレバーを用いたマルチプローブによるメモリを構成したときの制御切り換えの概念を示す図である。
【図４】本発明の情報処理装置中の書き込み制御回路の構成を示す図である。
【図５】本発明の情報処理装置中の読み出し制御回路の構成を示す図である。
【図６】本発明の情報処理装置を用いたスチルカメラの実施例１における記録情報の配置の一例を示す図である。
【図７】ピラミッド変換を説明する図である。
【図８】本発明の情報処理装置を用いた実施例２におけるスチルカメラの基本構成を示すブロック図である。
【図９】実施例２の記録再生動作の例をを説明する図である。
【図１０】実施例３の画像検索方法の例を説明する図である。
【符号の説明】
１０１：レンズ
１０２：絞り、シャッター等
１０３：撮像素子（ＣＣＤ）
１０４：プリアンプ
１０５：Ａ／Ｄ変換
１０６：書き込み制御回路
１０７：ＳＴＭメモリシステム
１０８：読み出し制御回路
１０９：出力装置１、出力装置２、出力装置３
１１０：設定回路
１１１：情報処理装置
２０１：探針
２０２：書き込みパルス印加回路
２０３：Ｚ方向位置制御回路
２０４：Ｉ−Ｖ変換
２０５：Ａ／Ｄ変換
２０６：ビットデータ抽出回路
２０７：ステージ動作制御回路
２０８：アンプ
２０９：ステージ
２１０：電極基板
２１１：記録媒体
２１２：読み出しバイアス印加回路
３０１：バイモルフカンチレバー
３０２：探針
３０３：タイミング制御回路（マルチプレクサ）
３０４：Ｚ方向位置制御回路
３０５：トンネル電流検出回路
３０６：ビット情報抽出回路
３０７：書き込みパルス印加回路
３０８：データバス
３０９：ＳＷ
３１０：ＳＷ
３１１：ＳＷ
４０１：像情報抽出部
４０２：バッファメモリ
４０３：演算部
４０４：並べ替え部
５０１：走査設定部
５０２：出力切り換え部
５０３：データ生成部
５０４：バッファメモリ
８０１：レンズ
８０２：絞り、シャッター等
８０３：撮像素子（ＣＣＤ）
８０４：プリアンプ
８０５：Ａ／Ｄ変換
８０６：書き込み制御回路
８０７：ＳＴＭメモリシステム
８０８：読み出し制御回路
８０９：出力装置１、出力装置２、出力装置３
８１０：設定回路
８１１：情報処理装置
【図１】
0003912814.tif 000002
【図２】
0003912814.tif 000003
【図３】
0003912814.tif 000004
【図４】
0003912814.tif 000005
【図５】
0003912814.tif 000006
【図６】
0003912814.tif 000007
【図７】
0003912814.tif 000008
【図８】
0003912814.tif 000009
【図９】
0003912814.tif 000010
【図１０】
0003912814.tif 000011